(57)【要約】      （修正有）【課題】蛇口弁座の出水構造を提供する。【解決手段】弁座１０と、スリーブ管２０とを備え、前記弁座にスリーブ孔１３が形成され、前記スリーブ管は、出水管５０を設置するために用いられ、前記スリーブ管が前記スリーブ孔に軸支され、前記スリーブ管に挿着孔２１が貫通することにより、前記出水管の一端を前記挿着孔に挿設させるようにすることで、縦軸を弁芯の中軸と平行にさせ、前記挿着孔の中軸と前記縦軸とで夾角を形成する。前記弁座に前記出水管の需要に従って、相応角度を有する前記挿着孔の前記スリーブ管を選択的に設置することができ、前記出水管の仰角の多様化の要求を満足する。【選択図】図２
0003224871.tif 000002
【実用新案登録請求の範囲】
【請求項１】
弁座１０と、スリーブ管２０とを備える蛇口弁座の出水構造であって、
前記弁座１０は、弁芯３０を設置するために用いられると共に、少なくとも１本の入水管４０を連結するために供され、前記弁座１０の内部に少なくとも１本の第１流路１１、第２流路１２及びスリーブ孔１３が形成され、当該第１流路１１は、前記弁芯３０と、前記入水管４０とを連通し、前記第２流路１２は、前記弁芯３０と、前記スリーブ孔１３とを連通し、前記スリーブ孔１３が前記弁座１０の一つの側に延伸され、
前記スリーブ管２０は、出水管５０を設置するために用いられ、前記スリーブ管２０が前記スリーブ孔１３に軸支され、前記スリーブ管２０に挿着孔２１が貫通することにより、縦軸Ｙを前記弁芯３０の中軸と平行にさせ、前記挿着孔２１の中軸と前記縦軸Ｙとで夾角θを形成することを特徴とする、蛇口弁座の出水構造。
【請求項２】
前記スリーブ管２０の外周は、一つの側に凸部２５が形成され、前記スリーブ孔１３は、内周に前記凸部２５に合致する嵌溝１５が凹設され、かつ前記嵌溝１５の一端が前記スリーブ孔１３の前記第２流路１２から遠く離れる一端に延伸され、前記凸部２５が前記嵌溝１５に対応嵌入されることを特徴とする、請求項１に記載の蛇口弁座の出水構造。
【請求項３】
前記弁座１０は、前記スリーブ孔１３の内周に環状の止め当て縁１４が形成され、前記スリーブ管２０の一端が前記止め当て縁１４に寄り掛けられることを特徴とする、請求項１または請求項２に記載の蛇口弁座の出水構造。
【請求項４】
前記スリーブ管２０は、前記挿着孔２１の内周に環状の規制縁２３が形成されることを特徴とする、請求項１または請求項２に記載の蛇口弁座の出水構造。
【請求項５】
前記スリーブ管２０は、頂縁に前記弁芯３０に近接する移動止め面２４が形成されることを特徴とする、請求項１に記載の蛇口弁座の出水構造。
【考案の詳細な説明】
【技術分野】
【０００１】
本考案は、水道蛇口の構成部品に係り、特に、蛇口弁座の出水構造（すなわち水栓構造）の斬新な構造形態の開示に関するものである。
【背景技術】
【０００２】
水道蛇口は、弁座と、弁芯と、出水管と、外筐とを備え、その内、前記弁座は、台所流し台や洗面台などの場所に設置するために用いられ、かつ前記弁座に少なくとも１本の入水管が連結され、前記弁芯及び前記出水管は、それぞれ前記弁座に設けられ、水が前記入水管から前記弁座を通過して前記弁芯に進入し、そして前記弁芯から前記弁座を通過して前記出水管に進入し、前記弁芯により前記入水管と前記出水管との間の流路が連通するかどうかを制御する。
【０００３】
ただし、前記従来の構造は、実際の応用経験において、依然として下記の問題点と弊害が存在することが発見された。水道蛇口の種類、設置場所の需要や外観設計などの多種の要因を考慮することに伴って、前記出水管の前記弁座に隣り合う部分では、空間における仰角状態にも多種の異なる設計が見受けられ、前記弁座と前記出水管とを繋ぐ出水口も前記出水管の仰角の設計変化に合致する必要があり、蛇口の生産者は、それぞれ異なる角度を有する出水口の前記弁座を多種用意しておく要請を充足してからこそ、初めて前記出水管の仰角の多様化の要求を満足するようになる。
【考案の概要】
【考案が解決しようとする課題】
【０００４】
さらに言えば、前記出水管が前記弁座に組み付けられ、前記出水管と前記弁座との間の相対角度を変更することができず、もし、水道蛇口の組立て上の需要に合致するために、前記出水管の空間上での角度姿勢を変化させる必要がある場合、可撓性を持つ管体を前記出水管として選ぶことが一般的であり、前記出水管の可撓性を有する特性を利用して、前記弁座を変換しない状況下で、前記出水管の空間上での角度姿勢を変更することができる。しかし、前記出水管が外力作用を受けて可撓性変形する状態になり、前記出水管と前記弁座との間の水密漏れ止め効果を低下させやすくなる。
【０００５】
本考案は、蛇口弁座の出水構造を提供することを主な目的とし、その解決しようとする技術的課題は、如何にしてより理想的で実用性のあるオリジナルな弁座を研究開発するかを目標として革新突破を思案することである。
【課題を解決するための手段】
【０００６】
前述の目的に基づいて、本考案の課題を解決するための技術的特長としては、主に前記蛇口弁座の出水構造は、弁座と、スリーブ管とを備え、前記弁座は、弁芯を設置するために用いられると共に、少なくとも１本の入水管を連結するために供され、前記弁座の内部に少なくとも１本の第１流路、第２流路及びスリーブ孔が形成され、当該第１流路は、前記弁芯と、前記入水管とを連通し、前記第２流路は、前記弁芯と、前記スリーブ孔とを連通し、前記スリーブ孔が前記弁座の一つの側に延伸され、前記スリーブ管は、出水管を設置するために用いられ、前記スリーブ管が前記スリーブ孔に軸支され、前記スリーブ管に挿着孔が貫通することにより、前記出水管の一端を前記挿着孔に挿設させるようにすることで、縦軸を前記弁芯の中軸と平行にさせ、前記挿着孔の中軸と前記縦軸とで夾角θを形成するものである。
【考案の効果】
【０００７】
本考案の主な効果と利点は、前記弁座に前記出水管の形状需要に従って、相応角度を有する前記挿着孔の前記スリーブ管を選択的に設置することができ、１種規格の前記弁座に応じて形状が異なる多種の前記スリーブ管を選択的に配置することができ、前記出水管の仰角の多様化の要求を満足し、前記弁座の生産効率を高めることができる。
【図面の簡単な説明】
【０００８】
【図１】本考案の実施形態１の水道蛇口を設けた透視斜視概略図である。
【図２】本考案の実施形態１及び出水管の分解斜視図である。
【図３】本考案の実施形態１の使用状態の断面概略図である。
【図４】本考案の実施形態２の使用状態の断面概略図である。
【図５】本考案の実施形態３の使用状態の断面概略図である。
【図６】本考案の実施形態４の分解斜視図である。
【考案を実施するための形態】
【０００９】
各図を参照し、これらの図に示すのは、本考案の蛇口弁座の出水構造（すなわち水栓構造）の数個の具体的に実施可能な実施形態だが、これらの実施形態は説明のみに用いられるもので、実用新案登録請求の際、それらの構造に制限されないものとする。
【００１０】
図１〜図３に示すように、本考案の蛇口弁座の出水構造の実施形態１は、弁座１０と、スリーブ管２０とを備え、その内、前記弁座１０は、弁芯３０を設置するために用いられると共に、２本の入水管４０を連結するために供され、前記弁座１０の内部に２本の第１流路１１、第２流路１２及びスリーブ孔１３が形成され、各当該第１流路１１は、それぞれ各前記入水管４０と、前記弁芯３０とを連通し、前記第２流路１２は、前記弁芯３０と、前記スリーブ孔１３とを連通し、前記スリーブ孔１３が前記弁座１０の一つの側に延伸される。当該第１流路１１の本数（数量）は、前記入水管４０の本数（数量）に従って増減変化する。
【００１１】
前記スリーブ管２０が前記スリーブ孔１３に軸支され、前記スリーブ管２０は、出水管５０を設置するために用いられ、これによって、前記弁座１０の外部に筐体６２及び前記弁芯３０を制御するための制御スイッチ６４（一例としてレバー）を改めて設置すれば、水道蛇口０１が構成される。
【００１２】
前記スリーブ管２０に挿着孔２１が貫通し、前記出水管５０の一端が前記挿着孔２１に挿設され、前記出水管５０は、硬質管体であってもよく、可撓性を有する管体であってもよく、仮想的な縦軸Ｙを前記弁芯３０の中軸（図示せず）と平行にさせ、前記挿着孔２１の中軸２２と前記縦軸Ｙとで夾角θを形成し、かつθ＝４０°である。
【００１３】
図４に示すように、実施形態２が実施形態１と主に異なる点は、前記挿着孔２１の中軸２２と前記縦軸Ｙとで夾角θを形成し、かつθ＝４５°である構成にある。スリーブ管２０は、図３の場合よりも、上方の管壁が厚く、下方の管壁が薄くなっていてよい。
【００１４】
図５に示すように、実施形態３が実施形態１と主に異なる点は、前記挿着孔２１の中軸２２と前記縦軸Ｙとで夾角θを形成し、かつθ＝３５°である構成にある。スリーブ管２０は、図３の場合よりも、上方の管壁が薄く、下方の管壁が厚くなっていてよい。
【００１５】
上記の構造組立形態と技術的特徴によれば、前記水道蛇口０１の種類、前記水道蛇口０１の設置場所や前記水道蛇口０１の外観設計などの要因の需要に基づいて、前記出水管５０の形状は、多種の変化を有してもよく、前記弁座１０に前記出水管５０の形状需要に従って、相応角度を有する前記挿着孔２１の前記スリーブ管２０を選択的に設置することができ、これによって、蛇口の生産者は、１種規格の前記弁座１０に応じて形状が異なる多種の前記スリーブ管２０を選択的に配置することができることから、前記出水管５０の仰角の多様化の要求を満足し、前記弁座１０の生産効率を高めることができる。
【００１６】
図２及び図３に示すように、前記弁座１０は、前記スリーブ孔１３の内周に環状の止め当て縁１４が形成され、前記スリーブ管２０の一端が前記止め当て縁１４に寄り掛けられ、これによって、前記スリーブ管２０が前記スリーブ孔１３に挿入される時、前記止め当て縁１４は、前記スリーブ管２０に対して止め当てを形成することによって、前記スリーブ管２０を位置決めする。
【００１７】
前記スリーブ管２０は、前記挿着孔２１の内周に環状の規制縁２３が形成され、前記出水管５０の一端が前記スリーブ管２０に軸挿進入する時、前記規制縁２３は、前記出水管５０に対して制限を形成することによって、前記出水管５０を位置決めする。
【００１８】
前記スリーブ管２０は、さらに頂縁に移動止め面２４が形成され、前記移動止め面２４は前記弁芯３０に近接し、前記スリーブ管２０に前記出水管５０が嵌設される時、仮にメンテナンスや部品交換の需要に基づいて、前記出水管５０を前記スリーブ管２０から外向きに引き離す時でも、前記移動止め面２４は前記弁芯３０に近接しているから、前記弁芯３０は、前記スリーブ管２０の前記スリーブ孔１３から離れる方向に向けての移動に対して制限を形成し、前記水道蛇口０１が薄肉シェル形態である時、このことによって、前記スリーブ管２０が前記出水管５０と一緒に付随して前記弁座１０から離れるのが回避でき、メンテナンスの利便性を高めることができる。
【００１９】
図６に示すように、実施形態４が実施形態１と主に異なる点は、前記スリーブ管２０の外周では、両側にそれぞれ凸部２５が形成され、前記スリーブ孔１３では、内周に各前記凸部２５に合致する２つの嵌溝１５が凹設され、前記嵌溝１５の一端が前記スリーブ孔１３の前記第２流路１２から遠く離れる一端に延伸され、各前記凸部２５がそれぞれ各前記嵌溝１５に対応嵌入される構成にある。それによって、各前記凸部２５と各前記嵌溝１５との対応を利用して前記スリーブ管２０を前記スリーブ孔１３に挿入する時、前記挿着孔２１の軸方向で需要を満足し得て、前記スリーブ管２０の位置決めの信頼度を高めることができる。
【００２０】
さらに言えば、前記スリーブ管２０により前記出水管５０の挿嵌位置決めを提供することで、前記出水管５０は、硬質管体であってもよく、可撓性を有する管体であってもよく、前記出水管５０が可撓性を有する管体である場合、前記出水管５０は、前記夾角θに合致するように前記挿着孔２１に挿入され、たとえ使用や前記水道蛇口０１の組立て上の需要に基づいて、可撓性を有する前記出水管５０の角度を変更する時でも、前記出水管５０と前記スリーブ管２０との間は、依然として良好な水密漏れ止め状態が維持できる。
【符号の説明】
【００２１】
０１        水道蛇口
１０        弁座
１１        第１流路
１２        第２流路
１３        スリーブ孔
１４        止め当て縁
１５        嵌溝
２０        スリーブ管
２１        挿着孔
２２        中軸
２３        規制縁
２４        移動止め面
２５        凸部
３０        弁芯
４０        入水管
５０        出水管
６２        筐体
６４        制御スイッチ
Ｙ          縦軸
θ          夾角
【図１】
0003224871.tif 000003
【図２】
0003224871.tif 000004
【図３】
0003224871.tif 000005
【図４】
0003224871.tif 000006
【図５】
0003224871.tif 000007
【図６】
0003224871.tif 000008